(57)【要約】【課題】  フィルタを通るオイルの流速分布を従来よりフィルタ全面で一定に近づけることができるオイルフィルタの提供。【解決手段】  （１）オイル流入口とオイル流出口を備えるケースと、ケース内に配置されるフィルタと、ケース内でフィルタのオイル流れ方向下流側に配置されフィルタを通過したオイルが通る穴を備える内部設置物４０と、を有し、内部設置物４０の穴４１の、内部設置物４０の単位面積あたりに占める割合が、ケース内を流れるオイル流れの圧力損失の高い部位ほど大とされている、オイルフィルタ１０。（２）  穴４１の占める割合は穴４１の大きさを大にすることで大とされている。（３）穴４１の占める割合は穴４１の数を増やすことで大とされている。（４）穴４１の占める割合は穴４１の形状を変更することで大とされている。（５）内部設置物４０の表面積はケース内を流れるオイル流れの圧力損失の高い部位ほど大とされている。【選択図】        図２
2006063897.tif 000002
【特許請求の範囲】
【請求項１】
オイル流入口とオイル流出口を備えるケースと、
前記ケース内に配置されるフィルタと、
前記ケース内で前記フィルタのオイル流れ方向下流側に配置され前記フィルタを通過したオイルが通る穴を備える内部設置物と、
を有し、
前記内部設置物の穴の、該内部設置物の単位面積あたりに占める割合が、前記ケース内を流れるオイル流れの圧力損失の高い部位ほど大とされている、オイルフィルタ。
【請求項２】
前記内部設置物の穴の、該内部設置物の単位面積あたりに占める割合は、前記穴の大きさを大にすることで大とされている、請求項１記載のオイルフィルタ。
【請求項３】
前記内部設置物の穴の、該内部設置物の単位面積あたりに占める割合は、前記穴の数を増やすことで大とされている、請求項１記載のオイルフィルタ。
【請求項４】
前記内部設置物の穴の、該内部設置物の単位面積あたりに占める割合は、前記穴の形状を変更することで大とされている、請求項１記載の記載のオイルフィルタ。
【請求項５】
前記内部設置物の表面積は、前記ケース内を流れるオイル流れの圧力損失の高い部位ほど大とされている、請求項１記載の記載のオイルフィルタ。
【発明の詳細な説明】
【技術分野】
【０００１】
本発明は、内燃機関の油路に配置されるオイルフィルタに関する。
【背景技術】
【０００２】
特開２００３−１２６６１３号公報は、オイル流入口からケース内に入ったオイルが、フィルタの外周側から内周側に流れフィルタの内周側に配置される内部設置物の穴を通ってオイル流出口からケース外に出ていく、オイルフィルタを示している。
【０００３】
しかし、公報に開示されたオイルフィルタにはつぎの問題点がある。
内部設置物に設けられる穴の径やピッチが内部設置物の全体で同じ（一定）である。そのため、流路長によって流れの圧力損失が異なるので、フィルタを通るオイルの流速分布が、図６の点線で示すように、場所によって異なる。その結果、フィルタの全面を用いて効率よく不純物を捕集することができない。
【特許文献１】特開２００３−１２６６１３号公報
【特許文献２】特開平１１−６２５４４号公報
【特許文献３】特開平１０−１３７５１１号公報
【発明の開示】
【発明が解決しようとする課題】
【０００４】
本発明が解決しようとする問題点は、フィルタを通るオイルの流速分布がフィルタの場所によって異なることである。
本発明の目的は、フィルタを通るオイルの流速分布を従来よりフィルタ全面で一定に近づけることができるオイルフィルタを提供することにある。
【課題を解決するための手段】
【０００５】
上記目的を達成する本発明はつぎの通りである。
（１）  オイル流入口とオイル流出口を備えるケースと、
前記ケース内に配置されるフィルタと、
前記ケース内で前記フィルタのオイル流れ方向下流側に配置され前記フィルタを通過したオイルが通る穴を備える内部設置物と、
を有し、
前記内部設置物の穴の、該内部設置物の単位面積あたりに占める割合が、前記ケース内を流れるオイル流れの圧力損失の高い部位ほど大とされている、オイルフィルタ。
（２）  前記内部設置物の穴の、該内部設置物の単位面積あたりに占める割合は、前記穴の大きさを大にすることで大とされている、（１）記載のオイルフィルタ。
（３）  前記内部設置物の穴の、該内部設置物の単位面積あたりに占める割合は、前記穴の数を増やすことで大とされている、（１）記載のオイルフィルタ。
（４）  前記内部設置物の穴の、該内部設置物の単位面積あたりに占める割合は、前記穴の形状を変更することで大とされている、（１）記載のオイルフィルタ。
（５）  前記内部設置物の表面積は、前記ケース内を流れるオイル流れの圧力損失の高い部位ほど大とされている、（１）記載のオイルフィルタ。
【発明の効果】
【０００６】
上記（１）のオイルフィルタでは、内部設置物の穴の、内部設置物の単位面積あたりに占める割合が、ケース内を流れるオイル流れの圧力損失の高い部位ほど大とされているので、オイル流れの圧力損失の高い部位ほど穴を通るときの圧力損失が低くなる。そのため、従来に比べて、フィルタを通るオイルの流速がフィルタ全面で一定に近づき、フィルタ全体を用いて従来より効率よく不純物を捕集できる。
上記（２）のオイルフィルタでは、穴の大きさを大にすることで、内部設置物の穴の、内部設置物の単位面積あたりに占める割合を大にすることができる。
上記（３）のオイルフィルタでは、穴の数を増やすことで、内部設置物の穴の、内部設置物の単位面積あたりに占める割合を大にすることができる。
上記（４）のオイルフィルタでは、穴の形状をたとえば丸から四角にして穴の面積をかせぐことで、内部設置物の穴の、内部設置物の単位面積あたりに占める割合を大にすることができる。
上記（５）のオイルフィルタでは、内部設置物の表面積が内部設置物全体で一定とされている場合に穴の大きさを大きくしたり穴数を増やしたりするだけでは流速一定に近づけるのに限度がある場合であっても、さらに大きな穴を設けたりさらに穴数を増やすことができ（チューニング範囲が広がり）、フィルタを通るオイル流速をさらに一定に近づけることができる。
【発明を実施するための最良の形態】
【０００７】
本発明実施例のオイルフィルタを、図１〜図６を参照して説明する。
本発明実施例のオイルフィルタ１０は、図１に示すように、オイル流入口２１とオイル流出口２２を備えるケース２０と、ケース２０内に配置されるフィルタ３０と、ケース２０内でフィルタ３０のオイル流れ方向下流側に配置されフィルタ３０を通過したオイルが通る穴４１を備える内部設置物４０と、を有する。
【０００８】
オイル流入口２１は、ケース２０の軸方向一側壁２０ａに設けられている。
オイル流出口２２は、ケース２０の軸方向一側壁２０ａに設けられていてもよく、ケース２０の軸方向他側壁２０ｂに設けられていてもよく、ケース２０の側壁２０ｃに設けられていてもよい（図示例では、オイル流出口２２がケース２０の軸方向一側壁２０ａに設けられている場合を示している）。以下、本発明実施例では、オイル流出口２２がケース２０の軸方向一側壁２０ａに設けられている場合を例にとって説明する。
オイル流出口２２は、オイル流入口２１より、軸方向一側壁２０ａの半径方向中心側に設けられている。
オイル流入口２１とオイル流出口２２がともにケース２０の軸方向一側壁２０ａに設けられているので、ケース２０内で軸方向他側壁２０ｂ付近を流れるオイル流れの圧力損失は、ケース２０内で軸方向一側壁２０ａ付近を流れるオイル流れの圧力損失より高い。
【０００９】
フィルタ３０は、濾紙を筒状に配置したものからなる。フィルタ３０の外周面とケース２０の側壁２０ｃとの間には隙間Ｓがある。オイル流入口２１からケース２０内に入り込んだオイルは、隙間Ｓに流れフィルタ３０をフィルタ３０の外周側から内周側に流れる。フィルタ３０の軸方向両端面は、シール材３１によりシールされている。シール材３１を用いているので、ケース２０内に流入したオイルがフィルタ３０の端面からフィルタ３０の内周側に流れることを防止できる。シール材３１は、バネ５０によりフィルタ３０の端面に押し付けられている。
【００１０】
内部設置物４０は、肉厚一定またはほぼ一定の円筒形状である。内部設置物４０は、軸方向で半径一定の円筒形状であってもよく、図５に示すように、ケース２０の軸方向一側壁２０ａから離れるにつれて半径が大となるテーパ形状であってもよい。
内部設置物４０は、ケース２０に固定して取り付けられる。内部設置物４０は、図１に示すように、フィルタ３０の内周側に配置される。内部設置物４０の穴４１は、複数設けられている。穴４１の、内部設置物４０の単位面積あたりに占める割合は、ケース２０内を流れるオイル流れの圧力損失の高い部位ほど（ケース２０内を流れるオイル流路が長くなる部位ほど）大とされている。穴４１の、内部設置物４０の単位面積あたりに占める割合は、（ａ）図２に示すように、穴４１の大きさを大にすること、（ｂ）図３に示すように、穴４１の数を増やすこと、（ｃ）図４に示すように、穴４１の形状を変更すること、のうちのいずれか少なくとも１つにより大とされる。
フィルタ３０の外周側から内周側に流れたオイルは、穴４１を通って内部設置物４０の内周側に流入し、オイル流出口２２を通ってケース２０外に流出する。
【００１１】
本発明実施例の作用、効果を説明する。
穴４１の、内部設置物４０の単位面積あたりに占める割合が、ケース２０内を流れるオイル流れの圧力損失の高い部位ほど大とされているので、オイル流れの圧力損失の高い部位ほど穴４１を通るときの圧力損失が低くなる。そのため、図６の実線で示すように、従来に比べて、フィルタ３０を通るオイルの流速がフィルタ３０全面で一定に近づき、フィルタ３０全体を用いて効率よく不純物を捕集できる。
【００１２】
穴４１の、内部設置物４０の単位面積あたりに占める割合が、（ａ）図２に示すように、穴４１の大きさを大にすること、（ｂ）図３に示すように、穴４１の数を増やすこと、（ｃ）図４に示すように、穴４１の形状を変更すること、のうちのいずれか少なくとも１つにより大とされるので、簡単な構造で穴４１の占有面積を大にすることができる。
【００１３】
図５に示すように、内部設置物４０の形状をテーパ形状にして内部設置物４０の表面積をオイル流れの圧力損失の高い部位ほど大にすることにより、表面積が内部設置物全体で一定とされている場合（図１〜図４に示す場合）よりもさらに、穴４１の大きさを大にしたり穴４１の数を増やしたりすることができる。したがって、内部設置物４０の表面積が内部設置物４０全体で一定とされている場合に穴４１の大きさを大きくしたり穴数を増やしたりするだけでは流速一定に近づけるのに限度がある場合であっても、さらに大きな穴４１を設けたりさらに穴４１の数を増やしたりすることができ（チューニング範囲が広がり）、フィルタ３０を通るオイル流速をフィルタ３０全面で一定に近づけることができる。
【図面の簡単な説明】
【００１４】
【図１】本発明実施例のオイルフィルタの断面図である。
【図２】本発明実施例のオイルフィルタの内部設置物の、穴の大きさを大にして穴の占有面積を大にした場合を示す正面図である。
【図３】本発明実施例のオイルフィルタの内部設置物の、穴の数を増やして穴の占有面積を大にした場合を示す正面図である。
【図４】本発明実施例のオイルフィルタの内部設置物の、穴の大きさを大にするとともに穴の形状を変更して穴の占有面積を大にした場合を示す正面図である。
【図５】本発明実施例のオイルフィルタの内部設置物をテーパ形状にした場合の、内部設置物の正面図である。
【図６】本発明実施例のオイルフィルタ（実線）と従来のオイルフィルタ（点線）の、圧力損失と流速分布を示すグラフである。
【符号の説明】
【００１５】
１０  オイルフィルタ
２０  ケース
２０ａ  ケースの軸方向一側壁
２０ｂ  ケースの軸方向他側壁
２０ｃ  ケースの側壁
２１  オイル流入口
２２  オイル流出口
３０  フィルタ
３１  シール材
４０  内部設置物
４１  穴
５０  バネ
【図１】
2006063897.tif 000003
【図２】
2006063897.tif 000004
【図３】
2006063897.tif 000005
【図４】
2006063897.tif 000006
【図５】
2006063897.tif 000007
【図６】
2006063897.tif 000008